(57)【要約】【課題】  利用者にとって望ましい画像プレーンを優先的に表示することのできる画像表示装置を提供する。【解決手段】  複数の画像プレーンを含む画像データについて、優先プレーン選択部２３が画像プレーンを選択し、描画順序決定部２４が優先プレーン選択部２３で選択された画像プレーンを最初に描画するように描画順序を決定し、画像表示制御部２５が描画順序決定部２４により決定された順序で当該画像データを表示する画像表示装置である。【選択図】        図３
2006267505.tif 000002
【特許請求の範囲】
【請求項１】
複数の画像プレーンを含む画像データについて、該複数の画像プレーンを描画する順序を決定する描画順序決定手段と、
前記描画順序決定手段により決定された順序で前記画像データを表示する画像表示手段と、
を含み、
前記描画順序決定手段は、選択された優先プレーンを最初に描画するように順序を決定することを特徴とする画像表示装置。
【請求項２】
請求項１に記載の画像表示装置において、
表示画面上の位置を指定する画面位置指定手段と、
前記画面位置指定手段により指定された表示画面上の位置と前記複数の画像プレーンに含まれる描画要素の位置とに基づいて、前記優先プレーンを選択する優先プレーン選択手段と、
を含むことを特徴とする画像表示装置。
【請求項３】
複数の画像プレーンを含む画像データについて、該複数の画像プレーンを描画する順序を決定する第１のステップと、
前記第１のステップにより決定された順序で前記画像データを画像表示装置に表示する第２のステップと、
を含み、
前記第２のステップは、選択された優先プレーンを最初に描画するように順序を決定することを特徴とする画像表示方法。
【請求項４】
コンピュータに、
複数の画像プレーンを含む画像データについて、該複数の画像プレーンを描画する順序を決定する第１のステップと、
前記第１のステップにより決定された順序で前記画像データを表示する第２のステップと、
を実行させ、
前記第２のステップは、選択された優先プレーンを最初に描画するように順序を決定することを特徴とするプログラム。
【発明の詳細な説明】
【技術分野】
【０００１】
本発明は、複数の画像プレーンを含む画像データを表示する画像表示装置、画像表示方法及び画像表示プログラムに関する。
【背景技術】
【０００２】
文字と図形などを含む文書を文書作成装置に表示する場合に、表示速度を高速化するために、図形などの表示を省略して文字のみを表示する通常表示モードと、全てのデータを表示する詳細表示モードとを切り替える技術がある（例えば、特許文献１参照）。この技術によれば、利用者が文字情報のみを確認したい場合には、通常表示モードを使うことにより高速に文書を表示させることができる。しかし、図形も表示させたい場合には、詳細表示モードを使う必要があるため、文字情報が表示されるまでに時間がかかってしまう。
【０００３】
また、最近では、文字や図形などの複数の描画要素が混在した画像について、これを画質を保ちつつ少ないデータ量で保持するために、複数の画像プレーンを含む画像データとして保持する技術がある。例えばＭＲＣ（Mixed Raster Content）フォーマットなどの技術で、この技術を用いた画像データは、文字の要素を含む画像プレーン、図形の要素を含む画像プレーンなどからなり、各画像プレーンが保持する描画要素に適した圧縮方法、解像度などで画像データを保持できることを特長とする。このような画像データを表示する場合には、画像データによって予め定められた順序に従って複数の画像プレーンを順に描画する処理を実行する。
【特許文献１】特開平２−１５８８６６号公報
【発明の開示】
【発明が解決しようとする課題】
【０００４】
このように、上記従来例の技術を用いて文字や図形が混在する画像を表示させる場合、全てのデータが表示されるまでには一定の時間がかかってしまう。また、文字や図形などの描画要素ごとに表示する順序を利用者が制御することができない。そのため、利用者が複数の描画要素のうちの特定の要素に注目している場合に、その描画要素が表示されるまでに時間がかかってしまう場合があるという問題がある。
【０００５】
本発明は、上記実情に鑑みてなされたもので、その目的の一つは、複数の画像プレーンを含む画像データを表示する技術を応用し、利用者にとって望ましい画像プレーンを優先的に表示することのできる画像表示装置、画像表示方法及び画像表示プログラムを提供することにある。
【課題を解決するための手段】
【０００６】
上記課題を解決するために、本発明に係る画像表示装置は、複数の画像プレーンを含む画像データについて、該複数の画像プレーンを描画する順序を決定する描画順序決定手段と、前記描画順序決定手段により決定された順序で前記画像データを表示する画像表示手段と、を含み、前記描画順序決定手段は、選択された優先プレーンを最初に描画するように順序を決定することを特徴としている。
【０００７】
また、本発明に係る画像表示装置は、表示画面上の位置を指定する画面位置指定手段と、前記画面位置指定手段により指定された表示画面上の位置と前記複数の画像プレーンに含まれる描画要素の位置とに基づいて、前記優先プレーンを選択する優先プレーン選択手段と、をさらに含んでもよい。
【０００８】
ここで、描画要素は、画像プレーンに含まれる文字、図形、写真などの画像データを構成する要素であって、各画像プレーン内の所定の位置に配置されている。
【０００９】
また、本発明の一態様に係る方法は、複数の画像プレーンを含む画像データについて、該複数の画像プレーンを描画する順序を決定する第１のステップと、前記第１のステップにより決定された順序で前記画像データを画像表示装置に表示する第２のステップと、を含み、前記第２のステップは、選択された優先プレーンを最初に描画するように順序を決定することを特徴としている。
【００１０】
また、本発明の別の態様に係るプログラムは、コンピュータに、複数の画像プレーンを含む画像データについて、該複数の画像プレーンを描画する順序を決定する第１のステップと、前記第１のステップにより決定された順序で前記画像データを画像表示装置に表示する第２のステップと、を実行させ、前記第２のステップは、選択された優先プレーンを最初に描画するように順序を決定することを特徴としている。
【発明の効果】
【００１１】
このように、複数の画像プレーンを含む画像データを表示する場合に、選択された優先プレーンを最初に描画するような順序で表示することにより、利用者にとって望ましい画像プレーンをより早く表示することが可能となる。
【発明を実施するための最良の形態】
【００１２】
以下、本発明の好適な実施の形態について、図面を参照しながら詳細に説明する。
【００１３】
本発明の実施の形態に係る画像表示装置は、図１に示すように、制御部１１と、記憶部１２と、操作部１３と、表示部１４とを含んで構成されている。
【００１４】
ここで、制御部１１は、例えばＣＰＵ等で構成されており、記憶部１２に格納されているプログラムに従って動作する。記憶部１２は、ＲＡＭやＲＯＭ等のメモリ素子及び／又はディスクデバイスなどを含んで構成されている。この記憶部１２には、制御部１１によって実行されるプログラムが格納されている。また、記憶部１２は、制御部１１のワークメモリとしても動作する。
【００１５】
操作部１３は、キーボードやマウス等であり、利用者の指示操作を受け付けて、当該指示操作の内容を制御部１１に出力する。表示部１４は、ディスプレイ等であり、制御部１１からの指示に従って、情報の表示を行う。
【００１６】
以下では、本発明の実施の形態に係る画像表示装置により、図２（ａ）に示すような文字と図形の描画要素を含む画像データＸを表示部１４に表示する例について説明する。ここで、画像データＸが表す画像は、文字の描画要素のみを含む領域Ａ１と図形の描画要素のみを含む領域Ａ２からなる。そして、画像データＸは、図２（ｂ）に示すように領域Ａ１のみを含む画像プレーンＰ１と、図２（ｃ）に示すように領域Ａ２のみを含む画像プレーンＰ２とを含んで構成されている。
【００１７】
本発明の実施の形態に係る画像表示装置は、機能的には、図３に示すように、機能選択部２１、画面位置指定部２２、優先プレーン選択部２３、描画順序決定部２４、及び画像表示制御部２５を含んで構成されている。これらの機能は、プログラムとして画像表示装置の記憶部１２に記憶されており、制御部１１によって実行される。
【００１８】
機能選択部２１は、キーボード上のボタン押下や、マウスによる表示画面上のアイコン選択などの入力を操作部１３から受け付けて、利用者が実行させようとする機能を選択する処理を行う。これにより、利用者は、例えば文字優先モード、図形優先モードなどのモードの切り替えを画像表示装置に対して指定することができる。また、文字優先拡大表示、図形優先拡大表示などの機能を実行するように指定することもできる。
【００１９】
画面位置指定部２２は、利用者によるマウスなどのポインティングデバイスの操作についての情報を操作部１３から受けて、画面上の位置を指し示すポインタを表示部１４に表示する処理を行う。また、画面上のポインタの位置を出力する。
【００２０】
優先プレーン選択部２３は、複数の画像プレーンを含む画像データを表示する場合に、機能選択部２１及び画面位置指定部２２からの情報をもとに、優先プレーンを決定する処理を行う。例えば、画像データＸの場合、機能選択部２１で文字優先モードが選択されたときには、文字情報を含む画像プレーンＰ１を優先プレーンとして選択し、図形優先モードが選択されたときには、図形情報を含む画像プレーンＰ２を優先プレーンとして選択する。また、文字優先拡大表示の機能が選択された場合には、文字情報を含む画像プレーンＰ１を優先プレーンとして選択し、図形優先拡大表示の機能が選択されたときには、図形情報を含む画像プレーンＰ２を優先プレーンとして選択する。また、表示機能が選択されたときのポインタの位置によって優先プレーンを決定してもよい。この場合の処理については、後に詳しく説明する。
【００２１】
描画順序決定部２４は、優先プレーン選択部２３で選択された優先プレーンを最初に表示するように、画像プレーンを描画する順序を決定する処理を行う。そして、画像表示制御部２５は、描画順序決定部２４で決定された順序に基づいて、表示部１４に画像を表示させる処理を行う。具体的には、画像データＸの場合、機能選択部２１で文字優先モードが選択されていれば、まず優先プレーンである画像プレーンＰ１を表示部１４に表示させ、続いて画像プレーンＰ２を表示させる。また、機能選択部２１で図形優先拡大表示の機能が選択された場合は、まず優先プレーンである画像プレーンＰ２を拡大して表示部１４に表示させ、続いて画像プレーンＰ１を同様に拡大して表示させる処理を実行する。
【００２２】
このように、利用者の操作に基づいて予め優先プレーンを選択することで、画像表示装置に画像データを表示する際に、利用者が要求する情報を優先的に表示することができる。
【００２３】
なお、本実施の形態においては、機能選択部２１で選択される機能の例として、モードの切り替えや拡大表示の機能を示したが、本発明において機能選択部２１で選択される機能はこれらの例に限られず、画像を表示部１４に表示させるあらゆる機能を採用することが可能である。
【００２４】
次に、本実施の形態に係る画像表示装置により画像データＸを表示部１４に拡大表示させる際に、ポインタの位置によって優先プレーンを決定する場合の処理の例について、図４に示すフローチャート図に従って説明する。
【００２５】
まず、画面位置指定部２２より、画面上のポインタの位置の情報を取得する（Ｓ１）。
【００２６】
次に、優先プレーン選択部２３において、Ｓ１で取得したポインタの位置と、画面上に既に表示されている画像データＸの位置との対比を行う（Ｓ２）。具体的には、ポインタが、画面上に表示されている画像データＸに対して、相対的にどの位置を指し示しているかを把握する。
【００２７】
そして、画像データＸに対するポインタの位置が、文字の描画要素のみを含む領域Ａ１内にあるか否かを、画像プレーンＰ１のデータをもとに判定する（Ｓ３）。ポインタの位置が領域Ａ１内にあると判定された場合、文字情報を含む画像プレーンＰ１を優先プレーンとして選択する（Ｓ４ａ）。逆に、ポインタの位置が領域Ａ１の外にある場合、図形情報を含む画像プレーンＰ２を優先プレーンとして選択する（Ｓ４ｂ）。
【００２８】
Ｓ４における優先プレーンの選択に基づいて、描画順序決定部２４は、描画する画像プレーンの順序を決定する（Ｓ５）。そして、画像表示制御部２５が、Ｓ５で決定された描画順序により各画像プレーンを拡大して表示部１４に表示させる（Ｓ６）。
【００２９】
以上の処理によれば、画像を拡大表示させる場合に、利用者が予めマウスなどのポインティングデバイスで画面上の文字情報を含む領域を指し示していれば、文字情報を優先して拡大表示させ、それ以外の場合には図形情報を優先して拡大表示させることが可能となる。
【００３０】
なお、本実施の形態の例においては、ポインタの位置が文字の描画要素からなる領域内に含まれるか否かにより優先プレーンを決定したが、他の判定方法を用いることも可能である。例えば、ポインタの位置の周囲の所定の画素数内の領域に、文字の描画要素があるか否かによって判定する方法や、文字ではなく図形の描画要素との関係によって判定する方法などを判定方法として用いてもよい。また、本実施の形態の例においては、画像を拡大表示する処理の例について説明したが、画像を縮小表示する処理、移動させる処理など、他の画像を再描画する処理に適用することも可能である。
【００３１】
なお、これまでの説明においては、文字と図形の描画要素を含み、２つの画像プレーンからなる画像データを表示させる例について説明したが、本発明を適用可能な画像データはこれに限られず、他に写真などの描画要素を含む画像データや、３つ以上の画像プレーンからなる画像データなどであってもよい。また、優先プレーン選択部２３により優先プレーンを選択する場合には、２以上の画像プレーンを優先プレーンとして選択してもよい。この場合、選択された２以上の優先プレーンを最初に表示し、続いてそれ以外の画像プレーンを表示するように、描画順序決定部２４において描画順序が決定される。
【図面の簡単な説明】
【００３２】
【図１】本発明の実施の形態に係る画像表示装置の一例を表す構成ブロック図である。
【図２】本発明の実施の形態に係る画像表示装置による処理の対象となる画像データの一例を表す図である。
【図３】本発明の実施の形態に係る画像表示装置の一例を表す機能ブロック図である。
【図４】本発明の実施の形態に係る画像表示装置によって実行される処理の一例を表すフローチャート図である。
【符号の説明】
【００３３】
１１  制御部、１２  記憶部、１３  操作部、１４  表示部、２１  機能選択部、２２  画面位置指定部、２３  優先プレーン選択部、２４  描画順序決定部、２５  画像表示制御部。
【図１】
2006267505.tif 000003
【図２】
2006267505.tif 000004
【図３】
2006267505.tif 000005
【図４】
2006267505.tif 000006